(57)【要約】空調付き機器用の空気供給を温度調節するための暖冷房装置であって、前記暖房／冷房装置が、第１の空気流を導くための第１の空気通路、第２の空気流を導くための第２の空気通路、前記第１の空気通路内に空気を引くための取り入れ口ファン、前記第２の空気通路を通じて空気を引くための排気ファン、前記第１の空気通路内の空気と前記第２の排出空気通路内の空気の間において熱を交換するための１つまたは複数の熱交換器を有し、前記第１の空気通路が、第１の端部の取り入れ口および１つだけの吐き出し口を有する管状流路を有し、前記吐き出し口が、前記通路の第２の端部にあり、かつ前記取り入れ口ファンが、前記第１の空気流が前記取り入れ口ファンを通り、前記空気通路の全体に沿って導かれ、前記１つまたは複数の熱交換器のすべてに遭遇し、かつ前記吐き出し口から出るように前記取り入れ口に配置される暖冷房装置。
2009528502.tif 000002
【特許請求の範囲】
【請求項１】
空調付き機器用の空気供給を温度調節するための暖冷房装置であって、前記暖房／冷房装置が、
第１の空気流を導くための第１の空気通路、
第２の空気流を導くための第２の空気通路、
前記第１の空気通路内に空気を引くための取り入れ口ファン、
前記第２の空気通路を通じて空気を引くための排気ファン、
前記第１の空気通路内の空気と前記第２の排出空気通路内の空気の間において熱を交換するための１つまたは複数の熱交換器、
を有し、
前記第１の空気通路が、第１の端部の取り入れ口および１つのみの吐き出し口を有する管状流路を有し、前記吐き出し口が、前記第１の空気通路の第２の端部にあり、かつ前記取り入れ口ファンが、前記第１の空気流が前記取り入れ口ファンを通り、前記第１の空気通路の全体に沿って導かれ、前記１つまたは複数の熱交換器のすべてに遭遇し、かつ前記吐き出し口から出るように前記取り入れ口に配置されている暖冷房装置。
【請求項２】
さらに、暖房モードにおいて前記第１の空気流を前記１つまたは複数の熱交換器によって暖めた後にさらに暖めるために、前記第１の空気通路内の前記熱交換器の下流の位置において前記第１の空気流内に配置されたセラミック・ヒータ装置を有する請求項１に記載の暖冷房装置。
【請求項３】
前記取り入れ口ファンは、前記第１の空気通過路に空気を引くため、および前記第１の通過路を通じて空気を押すために前記第１の空気通過路の取り入れ口に配置される、先行する請求項のうちのいずれか１項に記載の暖冷房装置。
【請求項４】
前記第１の空気通路に入る空気を濾過するための取り外し可能かつ交換可能な取り入れ口空気フィルタを有する、先行する請求項のうちのいずれか１項に記載の暖冷房装置。
【請求項５】
前記交換可能フィルタは、前記第１の空気流からアレルゲンを除去するために適したフィルタ材料を有する、請求項４に記載の暖冷房装置。
【請求項６】
前記第２の空気通路は、一対の空気取り入れ口を有する管状の壁を有し、第１の前記取り入れ口は、前記管状の壁の第１の端にあり、第２の前記取り入れ口は、前記管状の壁の第２の端に配置され、前記管状の壁がそれらの間に延びており、吐き出し口が前記第１および第２の取り入れ口の間の前記管状の壁に配置され、
前記１つまたは複数の熱交換器は、前記第２の空気流が前記１つまたは複数の熱交換器を通過するように前記管状の壁内に配置され、かつ
前記排気ファンは、前記第２の空気通路の前記第１および第２の取り入れ口を通り、前記１つまたは複数の熱交換器の上方を通過し、前記吐き出し口の外に空気を引くように前記吐き出し口に配置される、先行する請求項のうちのいずれか１項に記載の暖冷房装置。
【請求項７】
前記排気ファンは、前記第２の通過路の吐き出し口に、前記第２の通過路の１つまたは複数の取り入れ口を通り、前記第２の通過路の前記吐き出し口を通って空気を引くように配置される、先行する請求項のうちのいずれか１項に記載の暖冷房装置。
【請求項８】
前記熱交換器が、前記第１の空気通路を通って流れる空気がそれと熱を交換するように前記第１の空気通路内に延びる第１のヒート・シンク、
前記第２の空気通路内を流れる空気がそれと熱を交換するように前記第２の空気通路内に延びる第２のヒート・シンク、および
冷房モードにおいては前記第１の通路内の空気を冷やすために前記第１のヒート・シンクから前記第２のヒート・シンクに向かう第１の方向に熱を吸い上げすることが可能であり、かつ暖房モードにおいては前記第１の通路内の前記空気を暖めるために前記第２のヒート・シンクから前記第１のヒート・シンクに向かって熱を吸い上げすることが可能な、前記第１および第２のヒート・シンクの間に配置される１つまたは複数の電気的に駆動されるペルチェ効果ヒート・ポンプ装置を有する請求項１に記載の暖冷房装置。
【請求項９】
前記熱交換器装置は、
前記第１の空気通路内に配置された第１の組のヒート・シンク装置、
前記第２の空気通路内に配置された第２の組のヒート・シンク装置、および
前記第１および第２のヒート・シンクの間に配置された前記第１および第２の組のヒート・シンクの間において熱を移動するための複数の電気的ヒート・ポンプ装置を有する、先行する請求項のうちのいずれか１項に記載の暖冷房装置。
【請求項１０】
前記ヒート・ポンプ装置は、１つまたは複数のペルチェ効果装置を有する、請求項９に記載の暖冷房装置。
【請求項１１】
中を通る空気の流れのために形成された複数の空気通路を有するエア・マットレスに温度調節された空気を供給するための先行する請求項のうちのいずれか１項に記載の暖冷房装置。
【請求項１２】
ダブルサイズのエア・マットレスに対して、暖房モードを起動すると１２分の期間にわたり前記エア・マットレスの表面の温度がセ氏５〜１５度の範囲を越えて上昇するように温度調節された空気を供給することができる、先行する請求項のうちのいずれか１項に記載の暖冷房装置。
【請求項１３】
ダブルサイズのエア・マットレスに対して、冷房モードにおいて前記エア・マットレスの表面温度が周囲の外部空気の温度より２〜４度の間で低い温度に到達できるように温度調節された空気を供給することができる、先行する請求項のうちのいずれか１項に記載の暖冷房装置。
【請求項１４】
冷房モードにおいては、ダブルサイズのエア・マットレスに対して、前記冷房モードの起動から５時間の期間の後に、前記エア・マットレスの空気温度が周囲の外部空気の温度より２〜３度の間で低い範囲内となるように温度調節された空気を供給することができる、先行する請求項のうちのいずれか１項に記載の暖冷房装置。
【請求項１５】
幅１５ｃｍ〜３６ｃｍ、高さ７ｃｍ〜１５ｃｍ、長さ２０ｃｍ〜４０ｃｍの範囲内の全体的な外側寸法を有する、先行する請求項のうちのいずれか１項に記載の暖冷房装置。
【請求項１６】
前記第１の空気通路は、空気流の主方向に直角な方向において、３０ｃｍ２〜１２０ｃｍ２の範囲内の内部断面積を有する、先行する請求項のうちのいずれか１項に記載の暖冷房装置。
【請求項１７】
前記第２の空気通路は、空気流の主方向に直角な方向において、３０ｃｍ２〜１０８ｃｍ２の範囲内の内部断面積を有する、先行する請求項のうちのいずれか１項に記載の暖冷房装置。
【請求項１８】
前記熱交換器は、前記第１の通路の主長さに沿って延びる複数のフィンを有する上側ヒート・シンク、および、前記第２の空気通路の長さに沿って延びる複数の細長いフィンを有する第２のヒート・シンクを有し、
それぞれが２５〜４５ｍｍ×２５〜４５ｍｍの範囲内の有効上側表面積を有し、かつ２５〜４０ｍｍ×２５〜４０ｍｍの範囲内の寸法の第２の有効面積を有するペルチェ効果ヒート・ポンプ装置のために有する、先行する請求項のうちのいずれか１項に記載の暖冷房装置。
【請求項１９】
エア・マットレスと組み合わされ、前記エア・マットレスが複数の概して平行な横並びに配置された管を形成する複数の繊維を有し、前記複数の繊維がそれらの間に、前記複数の管を通過する空気が出ることを可能にするためのエア・ギャップを、前記空気が前記エア・マットレスの略全体の上側表面にわたって解放されるように有する、先行する請求項のうちのいずれか１項に記載の暖冷房装置。
【請求項２０】
機器用の空気供給を暖房または冷房するための温度調節装置であって、第１のヒート・シンクおよび第２のヒート・シンクを有し、前記第１および第２のヒート・シンクが互いに背合わせに配置され、かつ１つまたは複数の電気的に動作可能なヒート・ポンプによって互いから分離される熱交換器、
温度調節された空気を前記装置の吐き出し口に供給するための第１の空気通路と、
前記装置の外側から引き込まれた周囲空気の流れを前記熱交換器装置に導くための第２の空気通路とを有し、
前記第１のヒート・シンクが、前記第１のヒート・シンクと前記第１の空気通路内の温度調節された空気流の間における熱の移動のために前記第１の空気通路内に配置され、
前記第２のヒート・シンクが、前記第２のヒート・シンクと前記周囲空気流の間における熱の移動のために前記第２の空気通路内に配置され、それにおいて前記熱交換器が、前記第１の空気通路内の前記第１の空気流と前記第２の通路内の前記空気流の間において熱を移動するために作動できる装置。
【請求項２１】
さらに、前記調和された空気流に前記第１のヒート・シンクを通って前記吐き出し口に向かうことを強制するための第１の空気ファンを有する、請求項２０に記載の装置。
【請求項２２】
さらに、前記第２の空気流に前記第２の空気通路を通り、かつ前記第２のヒート・シンクを通ることを強制する第２の空気ファンを有する、請求項２０または２１に記載の装置。
【請求項２３】
さらに、前記第１の空気通路内の空気を濾過するための取り外し可能なフィルタを有する、請求項２０〜２２のうちのいずれか１項に記載の装置。
【請求項２４】
前記フィルタは、弾性的に付勢されており、前記フィルタが押されることによって前記ケーシングから飛び出すことができる、請求項２３に記載の装置。
【請求項２５】
前記第１のフィルタは、前記第１の空気通路内の空気を濾過するために前記第１の空気流内の前記第１の空気ファンの直前に配置される請求項２３または２４に記載の装置。
【請求項２６】
前記第１の空気ファンは、前記第１の空気通路の一部を形成する略円形の空気チャンバ内に装着される、請求項２５に記載の装置。
【請求項２７】
前記第２の空気流路内の排出空気は、前記ファン装置によって第１の組の１つまたは複数のグリルを通って引き込まれ、廃熱シンクを通過し、第２のグリルの外に排出される、請求項２０〜２６のうちのいずれか１項に記載の装置。
【請求項２８】
第１の暖房／冷房モジュールおよび第２の暖房／冷房モジュールを有し、前記第１および第２のモジュールが同一のケーシング内に排泄されている請求項２０〜２７のうちのいずれか１項に記載の装置。
【請求項２９】
長さ８１０ｍｍ〜８４０ｍｍ、幅１１０ｍｍ〜１３０ｍｍ、高さ１５０ｍｍ〜１７０ｍｍの範囲内の外側寸法を有する、請求項２８に記載の装置。
【請求項３０】
前記第１および第２の暖房／冷房モジュールのそれぞれは、第１および第２の独立に制御可能な温度調節された空気流を提供するべく独立に、かつ別々に制御可能である請求項２９に記載の装置。
【請求項３１】
単一の暖房／冷房モジュールを有し、かつ、長さ１２０ｍｍ〜１６０ｍｍ、幅１１０ｍｍ〜１３０ｍｍ、高さ１５０ｍｍ〜１７０ｍｍの範囲内の外側寸法を有するケーシングを有する、請求項２０〜２８のうちのいずれか１項に記載の装置。
【請求項３２】
前記調和された空気流の温度および流量を遠隔制御するためのハンドヘルド・リモート・コントロール装置および送信機／受信機を有する、請求項２０〜３０のうちのいずれか１項に記載の装置。
【請求項３３】
さらに、幹線電圧の電気を幹線電圧より低い電圧の電気に変換するためのスタンドアロンの別体の電源を有する、請求項２０〜３１のうちのいずれか１項に記載の装置。
【請求項３４】
前記ケーシングが細長い管状の構造を有し、複数の空気取り入れ口および吐き出し口を第１の側に有し、かつ空気取り入れ口／吐き出し口グリルがまったくない連続した第２の側を有し、それを下にして前記装置を床の上に立てることができる、請求項２０〜３３のうちのいずれか１項に記載の装置。
【請求項３５】
前記略管状のケーシングは、断面において略矩形である、請求項３４に記載の装置。
【請求項３６】
前記細長い管状のケーシングは、前記管状のケーシングの幅を横切って延びる複数のバルクヘッドによって複数の空気通路に分割される、請求項３５に記載の装置。
【請求項３７】
さらに、柔軟かつ延長可能な、中を通じて前記空気吐き出し口から空気の吸い上げが可能であり、かつ前記装置がベッド上で使用されている前記マットレスの下に配置されることを可能にするホースを有する、請求項２０〜３６のうちのいずれか１項に記載の装置。
【請求項３８】
前記柔軟な空気ホースは、前記暖冷房装置が、複数の空気取り入れ口および吐き出し口を含む前記装置の面が上を向いて配置される第１の向きと、前記面が略水平に向いて配置される第２の向きの間において移動されることを可能にする延長部分を有する、請求項３７に記載の装置。
【請求項３９】
ベッド暖冷房マットレス用の空気供給を暖房または冷房するための温度調節装置であって、前記装置が、
外側ケーシング、および複数の空調モジュールを有し、
それぞれの前記モジュールが、
互いに背合わせに配置され、かつ１つまたは複数の電気的に動作可能なヒート・ポンプによって互いから分離される、第１のヒート・シンクおよび第２のヒート・シンクを有する熱交換器と、温度調節された空気を前記装置の吐き出し口に供給するための第１の空気通路とを有し、
前記装置の外側から引き込まれた周囲空気の流れを前記熱交換器装置に導くための第２の空気通路を有し、
前記第１のヒート・シンクが、前記第１のヒート・シンクと前記第１の空気通路内の温度調節された空気流の間における熱の移動のために前記第１の空気通路内に配置され、
前記第２のヒート・シンクが、前記第２のヒート・シンクと前記周囲空気流の間における熱の移動のために前記第２の空気通路内に配置され、
前記熱交換器は、前記第１の空気通路内の前記第１の空気流と前記第２の通路内の前記空気流の間において熱を移動するために作動可能であり、
前記複数の空調モジュールが、前記装置に引き込まれ、それから排出される周囲空気のための複数の空気取り入れ口がすべて前記装置の第１の面上に配置され、温度調節された空気のための複数の空気吐き出し口が前記ケーシングの第２の面上に配置されるように前記ケーシング内に配置される装置。
【請求項４０】
前記暖房／冷房モジュールのそれぞれは、第１および第２の独立に制御可能な温度調節された空気流を提供するべく独立に、かつ別々に制御可能である請求項３９に記載の装置。
【請求項４１】
前記調和された空気流の温度および流量をリモート・制御するためのハンドヘルド・リモート・制御装置および送信機／受信機を有する、請求項３９または４０に記載の装置。
【請求項４２】
ベッドの暖冷房を提供するためのベッド暖房器であって、前記暖房器が柔軟かつ延長可能なホースを通じて暖冷房装置に結合される少なくとも１つのマットレス・パッドを含み、前記暖冷房装置が、前記マットレス・パッド内に導入できる温度調節された吸い上げられる空気の供給源を提供し、前記暖冷房装置が、
大気から空気を引き込むための空気取り入れ口、および
大気を排出するための空気吐き出し口、
前記柔軟かつ延長可能なホースに結合できるマットレス吐き出し口であって、それを通して空気が吸い上げられるマットレス吐き出し口を有する外側ケーシングを含み、前記空気が、前記暖冷房装置によって前記空気を暖めること、前記空気をその周囲温度に維持すること、または前記空気を冷やすことのうちのいずれかによって温度調節され、
それにおいて、前記空気取り入れ口および空気吐き出し口は前記ケーシングの第１の面上にあり、前記マットレス吐き出し口は前記ケーシングの、前記第１の面と略垂直な側に備えられており、前記ケーシングは、使用時に前記マットレス吐き出し口が前記マットレス・パッドと略垂直にされることに備える第１の向き、および前記マットレス吐き出し口が前記マットレス・パッドと略平行にされることに備える第２の向きの２つの向きのうちの１つにおいて前記ベッドと相対的に置かれることが可能であり、前記ホースの延長部分が、ケーシングが前記第１から前記第２の向きに移動されることを可能にする、ベッド暖房器。
【発明の詳細な説明】
【技術分野】
【０００１】
本発明は、温度調節された空気流を供給するための空気暖冷房装置、特に、限定はされないが、エア・マットレス装置に関する。
【背景技術】
【０００２】
暖められた、または冷やされた生地のパッドを提供するべく温風または冷風が空気流路に沿って通過可能となるように空気が中を通ることが可能な複数の管状流路を有する生地の柔軟な織物を提供することは周知である。その種の生地は、温度調節された衣服、自動車で使用するための温度調節されたシート、および温度調節されたブランケットまたはマットレスに使用することが可能である。
【０００３】
通常、その種の温度調節可能な生地は、熱硬化性プラスティック材料から形成でき、第１の方向に配置された複数の相対的により太い繊維、およびそのより太い繊維の上および下の両方において横から交差する第２の方向の複数の波状のより細い繊維を有する。第１の方向のより太い繊維と平行に複数の熱硬化繊維が配設され、その結果、第１の方向のより太い繊維が第２の方向のより細い繊維に接着されて熱が印加されるときに第１の方向の熱硬化性のより細い繊維が収縮し、それによってより太い繊維を引き寄せて一連の垂直の波状起伏にし、上側と下側のより細い繊維のサンドウィッチの間に複数の空気の流路を形成できる。
【０００４】
この中空の生地を、上側および下側の織物の層を用いて覆い、座る、または横になるのに快適であり、中に空気を通すことが可能な中空の弾性パッドを作成することが可能である。空気の温度を制御することによって、パッドが暖められ、または冷やされることが可能である。
【０００５】
しかしながら、温度調節可能な生地の有用性および消費者による受け入れ度は、温度調節可能な織物とともに使用するための空気暖冷房装置のサイズ、重量、騒音、および不便さによって押さえられている。たとえば、空気温度調節付きマットレスのための周知の暖房装置は、幅４０ｃｍ、長さ８０ｃｍ、および高さ５０ｃｍの寸法を有し、住宅使用のためには不都合なサイズの空気供給ユニットである。
【発明の開示】
【課題を解決するための手段】
【０００６】
第１の態様によれば、空調付き機器用の空気供給を温度調節するための暖冷房装置が提供され、前記暖房／冷房装置が、第１の空気流を導くための第１の空気通路、第２の空気流を導くための第２の空気通路、前記第１の空気通路内に空気を引くための取り入れ口ファン、前記第２の空気通路を通じて空気を引くための排気ファン、前記第１の空気通路内の空気と前記第２の排出空気通路内の空気の間において熱を交換するための１つまたは複数の熱交換器を有し、前記第１の空気通路が、第１の端部の取り入れ口および１つだけの吐き出し口を有する管状流路を有し、前記吐き出し口が、前記第１の空気通路の第２の端部にあり、かつ前記取り入れ口ファンが、前記第１の空気流が前記取り入れ口ファンを通り、前記第１の空気通路の全体に沿って導かれ、前記１つまたは複数の熱交換器のすべてに遭遇し、かつ前記吐き出し口から出るように前記取り入れ口に配置される。
【０００７】
好ましくはこの装置が、さらに、暖房モードにおいて前記第１の空気流を前記１つまたは複数の熱交換器によって暖めた後にさらに暖めるように、前記第１の空気通路内の前記熱交換器の下流位置において前記第１の空気流内に配置されたセラミック・ヒータ装置を有する。
【０００８】
前記取り入れ口ファンは、前記第１の空気通過路に空気を引くため、および前記第１の通過路を通じて空気を押すために前記第１の空気通過路の取り入れ口に配置される。
【０００９】
好ましくは前記装置が、前記第１の空気通路に入る空気を濾過するための取り外し可能かつ交換可能な取り入れ口空気フィルタを有する。
【００１０】
前記交換可能フィルタは、前記第１の空気流からアレルゲンを除去するために適したフィルタ材料を有する。
【００１１】
前記第２の空気通路は、一対の空気取り入れ口を有する管状の壁を有し、第１の前記取り入れ口は、前記管状の壁の第１の端にあり、第２の前記取り入れ口は、前記管状の壁の第２の端に配置され、前記管状の壁がそれらの間に延びており、吐き出し口が前記第１および第２の取り入れ口の間の前記管状の壁に配置され、
前記１つまたは複数の熱交換器は、前記第２の空気流が前記１つまたは複数の熱交換器を通過するように前記管状の壁内に配置され、かつ、前記排気ファンは、前記第２の空気通路の前記第１および第２の取り入れ口を通り、前記１つまたは複数の熱交換器を超え、前記吐き出し口の外に空気を引くように前記吐き出し口に配置される。
【００１２】
前記排気ファンは、前記第２の通過路の吐き出し口に、前記第２の通過路の１つまたは複数の取り入れ口を通り、前記第２の通過路の前記吐き出し口を通って空気を引くように配置できる。
【００１３】
前記熱交換器は、前記第１の空気通路を通って流れる空気がそれと熱を交換するように前記第１の空気通路内に延びる第１のヒート・シンクと、
前記第２の空気通路内を流れる空気がそれと熱を交換するように前記第２の空気通路内に延びる第２のヒート・シンクと、
前記第１および第２のヒート・シンクの間に配置される１つまたは複数の電気的に駆動されるペルチェ効果ヒート・ポンプ装置とを有し、
前記ペルチェ効果装置は、冷房モードにおいては前記第１の通路内の空気を冷やすために前記第１のヒート・シンクから前記第２のヒート・シンクに向かう第１の方向に熱を吸い上げすることが可能であり、かつ暖房モードにおいては前記第１の通路内の前記空気を暖めるために前記第２のヒート・シンクから前記第１のヒート・シンクに向かって熱を吸い上げすることが可能である。
【００１４】
前記熱交換器装置は、
前記第１の空気通路内に配置された第１の組のヒート・シンク装置、
前記第２の空気通路内に配置された第２の組のヒート・シンク装置、および
前記第１および第２のヒート・シンクの間に配置された前記第１および第２の組のヒート・シンクの間において熱を移動するための複数の電気的ヒート・ポンプ装置を有している。
【００１５】
好ましくは前記ヒート・ポンプ装置が、１つまたは複数のペルチェ効果装置を有する。
【００１６】
暖冷房装置は、中を通る空気の流れのために設計された複数の空気通路を有するエア・マットレスに温度調節された空気を供給に適する。
【００１７】
１つの実施態様においては、装置が、ダブルサイズのエア・マットレスに対して、暖房モードを起動すると１２分の期間にわたり前記エア・マットレスの表面の温度がセ氏５〜１５度の範囲を越えて上昇するように温度調節された空気を供給可能である。
【００１８】
この暖冷房装置は、ダブルサイズのエア・マットレスに対して、冷房モードにおいて前記エア・マットレスの表面温度が周囲の外部空気の温度より２〜４度の間で低い温度に到達できるように温度調節された空気を供給可能である。
【００１９】
この暖冷房装置は、冷房モードにおいて、ダブルサイズのエア・マットレスに対して、前記冷房モードの起動から５時間の期間の後に、前記エア・マットレスの空気温度が周囲の外部空気の温度より２〜３度の間で低い範囲内となるように温度調節された空気を供給可能である。
【００２０】
この暖冷房装置は、幅１５ｃｍ〜３６ｃｍ、高さ７ｃｍ〜１５ｃｍ、長さ２０ｃｍ〜４０ｃｍの範囲内の全体的な外側寸法を有する。
【００２１】
前記第１の空気通路は、空気流の主方向に垂直な方向において、３０ｃｍ２〜１２０ｃｍ２の範囲内の内部断面積を有することができる。
【００２２】
前記第２の空気通路は、空気流の主方向に垂直な方向において、３０ｃｍ２〜１０８ｃｍ２の範囲内の内部断面積を有することができる。
【００２３】
前記熱交換器は、
前記第１の通路の主長さに沿って延びる複数のフィンを有する上側ヒート・シンク、および、前記第２の空気通路の長さに沿って延びる複数の細長いフィンを有する第２のヒート・シンクを有し、
それぞれが、ペルチェ効果ヒート・ポンプ装置のために、２５〜４５ｍｍ×２５〜４５ｍｍの範囲内の有効上側表面積を有し、かつ２５〜４０ｍｍ×２５〜４０ｍｍの範囲内の寸法の第２の有効面積を有する。
【００２４】
この暖冷房装置は、前記エア・マットレスと組み合わせた使用に適することができ、前記エア・マットレスは、複数の略平行な並置された管を形成する複数の繊維を有し、前記複数の繊維がそれらの間に、前記複数の管を通過する空気が出ることを可能にするためのエア・ギャップを、前記空気が前記エア・マットレスの略全体の上側表面にわたって解放されるように有する。
【００２５】
第２の態様によれば、機器用の空気供給を暖房または冷房するための温度調節装置が提供され、前記装置が、
第１のヒート・シンクおよび第２のヒート・シンクを有し、前記第１および第２のヒート・シンクが互いに対向して配置され、かつ１つまたは複数の電気的に動作可能なヒート・ポンプによって互いから分離される熱交換器、
温度調節された空気を前記装置の吐き出し口に供給するための第１の空気通路、
前記装置の外側から引き込まれた周囲空気の流れを前記熱交換器装置に導くための第２の空気通路を有し、
前記第１のヒート・シンクが、前記第１のヒート・シンクと前記第１の空気通路内の温度調節された空気流の間における熱の移動のために前記第１の空気通路内に配置され、
前記第２のヒート・シンクが、前記第２のヒート・シンクと前記周囲空気流の間における熱の移動のために前記第２の空気通路内に配置され、それにおいて前記熱交換器が、前記第１の空気通路内の前記第１の空気流と前記第２の通路内の前記空気流の間において熱を移動するために作動できる。
【００２６】
前記装置は、さらに、前記調和された空気流に前記第１のヒート・シンクを通って前記吐き出し口に向かうことを強制するための第１の空気ファンを有しる。
【００２７】
前記装置は、さらに、前記第２の空気流に前記第２の空気通路を通り、かつ前記第２のヒート・シンクを通ることを強制する第２の空気ファンを有しる。
【００２８】
好ましくは前記装置が、さらに、前記第１の空気通路内の空気を濾過するための取り外し可能なフィルタを有する。
【００２９】
好ましくはフィルタが押されることによって前記ケーシングから排出することができるように前記フィルタが弾性的に付勢されている。
【００３０】
好ましくは前記第１のフィルタは、前記第１の空気通路内の空気を濾過するために前記第１の空気流内の前記第１の空気ファンの直前に配置される。
【００３１】
好ましくは前記第１の空気ファンは、前記第１の空気通路の一部を形成する略円形の空気チャンバ内に装着される。
【００３２】
前記第２の空気流路内の排出空気は、前記ファン装置によって第１の組の１つまたは複数のグリルを通って引き込まれ、廃熱シンクを通過し、第２のグリルの外に排出されることができる。
【００３３】
ツイン・モジュール・ユニットにおいては、前記装置が第１の暖房／冷房モジュールおよび第２の暖房／冷房モジュールを有し、前記第１および第２のモジュールが同一のケーシング内に備わり、それを共有する。
【００３４】
最良態様におけるツイン・モジュール・ユニットの場合、ケーシングが、長さ８１０ｍｍ〜８４０ｍｍ、幅１１０ｍｍ〜１３０ｍｍ、高さ１５０ｍｍ〜１７０ｍｍの範囲内の外側寸法を有する。
【００３５】
ツイン・モジュール実施態様の場合は、前記第１および第２の暖房／冷房モジュールのそれぞれが、第１および第２の独立して制御可能な温度調節された空気流を提供するべく独立に、かつ別々に制御可能である。
【００３６】
最良態様のシングル・モジュール装置においては、ケーシングが、長さ１２０ｍｍ〜１６０ｍｍ、幅１１０ｍｍ〜１３０ｍｍ、高さ１５０ｍｍ〜１７０ｍｍの範囲内の外側寸法を有することができる。
【００３７】
好ましくは前記装置がリモート・制御可能であり、前記調和された空気流の温度および流量をリモート・制御するためのハンドヘルド・リモート・制御装置および送信機／受信機を有する。
【００３８】
前記装置は、さらに、幹線電圧の電気を幹線電圧より低い電圧の電気に変換するためのスタンドアロンの別体の電源を有しる。
【００３９】
好ましくは、前記ケーシングが細長い管状の構造を有し、複数の空気取り入れ口および吐き出し口を第１の側に有し、かつ空気取り入れ口／吐き出し口グリルがまったくない連続した第２の側を有し、前記装置を床の上に立てることができる。これによりこの装置を複数の向きで置くことを可能にでき、ベッドに隣接したこの装置の配置に柔軟性が与えられる。
【００４０】
好ましくは、前記略管状のケーシングが、断面において略矩形である。
【００４１】
好ましくは、前記細長い管状のケーシングが、前記管状のケーシングの幅を横切って延びる複数のバルクヘッドによって複数の空気通路に分割される。
【００４２】
前記装置は、さらに、前記空気吐き出し口から空気の吸い上げが可能であり、かつ前記装置がベッド上で使用されている前記マットレスの下に配置されることを可能にする柔軟かつ延長可能なホースを有している。
【００４３】
前記柔軟な空気ホースは、前記暖冷房装置が、複数の空気取り入れ口および吐き出し口を有する前記装置の面が上を向いて配置される第１の向きと、前記面が略水平に向いて配置される第２の向きの間において移動されることを可能にする延長部分を有する。
【００４４】
第４の態様によれば、ベッド暖冷房マットレス用の空気供給を暖房または冷房するための温度調節装置が提供され、前記装置が、
外側ケーシング、および、複数の空調モジュールを有し、
それぞれの前記モジュールが、
第１のヒート・シンクおよび第２のヒート・シンクを有する、前記第１および第２のヒート・シンクが互いに対向して配置され、かつ１つまたは複数の電気的に作動可能なヒート・ポンプによって互いから分離される熱交換器と、
温度調節された空気を前記装置の吐き出し口に供給するための第１の空気通路と、
前記装置の外側から引き込まれた周囲空気の流れを前記熱交換器装置に導くための第２の空気通路とを有し、
前記第１のヒート・シンクが、前記第１のヒート・シンクと前記第１の空気通路内の温度調節された空気流の間における熱の移動のために前記第１の空気通路内に配置され、
前記第２のヒート・シンクが、前記第２のヒート・シンクと前記周囲空気流の間における熱の移動のために前記第２の空気通路内に配置され、前記熱交換器は、前記第１の空気通路内の前記第１の空気流と前記第２の通路内の前記空気流の間において熱を移動するために作動可能であり、
前記複数の空調モジュールが、前記装置に引き込まれ、それから排出される周囲空気のための複数の空気取り入れ口がすべて前記装置の第１の面上に配置され、温度調節された空気のための複数の空気吐き出し口が前記ケーシングの第２の面上に配置されるように前記ケーシング内に配置されている。
【００４５】
前記暖房／冷房モジュールのそれぞれは、第１および第２の独立に制御可能な温度調節された空気流を提供するために独立に、かつ別々に制御可能できる。
【００４６】
前記装置は、さらに、前記調和された空気流の温度および流量をリモート・制御するためのハンドヘルド・リモート・制御装置および送信機／受信機を有しる。
【００４７】
第５の態様によれば、ベッドの暖冷房を提供するためのベッド暖房器が提供され、当該暖房器が柔軟かつ延長可能なホースを通じて暖冷房装置に結合される少なくとも１つのマットレス・パッドを含み、暖冷房装置が、マットレス・パッド内に導入できる温度調節された吸い上げられる空気の供給源を提供し、外側ケーシングを有する暖冷房装置が、
大気から空気を引き込むための空気取り入れ口、および
大気を排出するための空気吐き出し口、
暖冷房装置によって空気を暖め、空気をその周囲温度に維持し、または空気を冷却するのうちのいずれかによって温度調節された空気が吸い上げられる、柔軟かつ延長可能なホースに結合できるマットレス吐き出し口とを有し、
空気取り入れ口および空気吐き出し口は、ケーシングの第１の面上にあり、マットレス吐き出し口は、ケーシングの、第１の面と略垂直な側に備えられており、ケーシングは、使用時にマットレス吐き出し口がマットレス・パッドと略垂直にされることに備える第１の向き、およびマットレス吐き出し口がマットレス・パッドと略平行にされることに備える第２の向きの２つの向きのうちの１つにおいてベッドと相対的に置かれることが可能であり、ホースの延長部分が、ケーシングが第１から第２の向きに移動されることを可能にする。
【００４８】
本発明のこのほかの態様は、特許請求の範囲に述べられているとおりである。
【００４９】
本発明のより良好な理解のため、およびそれがどのように実施されるかを示すため、次に添付図面を参照して特定の実施態様、方法、およびプロセスを例としてのみ説明する。
【発明を実施するための最良の形態】
【００５０】
以下、例として本発明によって企図される特定の態様を説明する。以下の説明においては、完全な理解を提供するために多数の特定の詳細が示されている。しかしながら当業者には明らかとなろうが、本発明は、それらの特定の詳細に限定されることなく実施できる。他方、不必要に説明を不明瞭にすることがないように、周知の方法および構造は説明されていない。
【００５１】
ここで図１を参照すると、ベッドに装着するためのマットレス・カバー１００、すなわち中を通る複数の空気流路を有する弾性の中空生地から形成されたマットレス・カバー、およびマットレス・カバー１００に温風または冷風を供給するための空気暖冷房装置１０１が略図的に図解されており、暖冷房装置によって温風が供給されるときは、周囲の空気の温度に対してマットレス・カバーが暖かくなり、冷房装置１０１によって冷風が供給されるときは、周囲の空気の温度に対してマットレス・カバー１００が冷たくなる。暖冷房装置１０１は、供給管１０２を介してマットレス・カバー１００に空気を供給する。
【００５２】
暖冷房装置およびマットレス・カバーを通る空気の流れは、単一方向である。外部の周囲空気が暖冷房装置１０１に入り、暖められるかまたは冷やされ、引き渡し管１０２を通ってマットレス・カバー１００に吸い上げられる。もしくは、暖房または冷房が適用されなくてもよく、空気が周囲温度と同じに維持されて供給管１０２を通ってマットレス・カバー１００内に吸いあげられるようにもできる。空気は、マットレス・カバーに沿って通過した後に固定の出口ポイントにおいてマットレス・カバー１００を出るか、または別の実施態様においては、マットレス・カバーが非常に多数の小さい空気孔をその上側および／または下側および／または横の表面に有し、空気がマットレス・カバーの織物から外に漏れ、マットレス・カバーの上側および／または下側および／または横の表面にわたって温風または冷風を与えることはもとより、暖冷房装置が暖房モードまたは冷房モードのいずれで動作しているかに応じて、マットレス・カバーの上側および下側表面の温度を下げるかまたは上げる。
【００５３】
ここで図２を参照すると、暖冷房装置１０１を外側から見た斜視図が略図的に図解されている。暖冷房装置は、外側ケーシング２００、すなわち多様な異なる形状とすることが可能であるが、最良の態様においては矩形の『煉瓦』形状となり、大気から空気を引き込むための空気取り入れ口２０１および大気を排出するための空気吐き出し口２０２を有する外側ケーシング、暖冷房装置によって空気を暖めるか、その周囲温度に空気を維持するか、または空気を冷やすことによって温度調節された空気が送り出される吐き出し口パイプ２０３、および電源ケーブル２０４を有する。
【００５４】
示されている実施態様においては、空気取り入れ口２０１および空気吐き出し口２０２がケーシングの同じ面の上にある。これは暖冷房装置を、床表面に上向きで、または壁またはそのほかいずれかの家具にもたれさせて最大数の向きで置くことを可能にする。図２に示されている実施態様においては、暖冷房装置を置くことができない表面が２つあり、すなわち取り入れ口および吐き出し口が存在する上側表面２０５、および外側に供給管２０３および電気コネクタ・ケーブル２０４が配置されている端面２０６である。しかしながら暖冷房装置は、残りの任意の力を下にして塞がれた表面上に置くことが可能である。さらに暖冷房装置は、その底面を下にして置くことが可能であり、その際に第１または第２の側面または第２の端面２０７が隣接する壁またはいずれかの家具に接することができる。
【００５５】
ここで図３を参照すると、暖冷房装置の構成部品が、上から見た平面図の形で略図的に図解されている。
【００５６】
暖房装置は、ほかの構成部品が装着されるベース・プレート３００、大気を装置内に引き込むための取り入れ口ファン３０１、装置を通る空気の通路のための複数の空気流路３０２、直列および並列に配置されたペルチェ暖冷房装置３０３のアレイ、空気通路内に配置され、空気がヒート・シンクを通って流れるように配置されると共に、ペルチェ暖房装置から、および、ペルチェ暖房装置への熱の吸い込みのために配置された複数のヒート・シンク３０４、３０５、廃棄空気を装置の外に抜き取るための吐き出し口換気ファン３０６、ペルチェ装置、吸い込み口および吐き出し口ファン、および制御回路に電力供給するための電源ユニット３０７、およびこの暖冷房装置を制御するための制御回路３０８、およびこの暖冷房装置からの調和済みの空気の通路のための吐き出し口３０９を有する。
【００５７】
ここで図４を参照すると、反対側から見た図３の暖冷房装置が略図的に図解されており、装置を通る空気の通路が示されている。暖冷房装置は、上側空気流路４００および下側空気流路４０１を有する。これらの上側および下側の空気流路は、ペルチェ効果装置３０３のアレイによって互いに分けられている。矢印は、上側および下側の空気流路内における空気流の方向を示す。
【００５８】
最初に下側空気流路４０１を考察するが、空気は取り入れ口開口２０１から入り、電気的に作動される取り入れ口ファン３０１によって引き込まれる。空気は、強制的に、下側流路４０１を通り、第１の下側ヒート・シンク４０２を通り、第２の下側ヒート・シンク４０３を通るが、第１および第２の下側ヒート・シンクは、互いに直列に配置されている。各ヒート・シンクは、ヒート・シンクとヒート・シンクを通過する空気の間における熱交換を最大化する一方、下側の暖房／冷房通路を通る空気流の分断を最小化するためにフィンの形状に形成された金属本体を有する。空気は、第１および第２のヒート・シンクの後に続いてセラミック・ヒータ装置３１０を通り、さらに吐き出し口パイプ３０９を通る。
【００５９】
上側空気流路４００を考察すると、上側空気流路は、ケーシングの内側から空気を、すなわちケーシングの取り入れ口開口２０１を介してケーシングに入った空気を引き込むことができる互いに対向して面する複数の取り入れ口開口４０２、４０３を有する。後方開口４０２を介して入る空気は、第１の上側ヒート・シンク３０４を通り、抽出ファン３０６によって上側空気流路の外に、さらに上記のとおり、吐き出し口開口２０２を介してケーシングの外に引き出される。反対の方向においては、第２のヒート・シンク３０５を通過し、ケーシングから上側空気流路の前方開口４０３に入る空気が電気換気ファン３０６によってヒート・シンクを通過し、吐き出し口開口２０２を介してケーシングの外に引き出される。
【００６０】
暖冷房装置は、周囲空気の暖房、周囲空気の冷房、または現存する周囲温度に空気を維持するという３つのモードの動作が可能である。
【００６１】
ペルチェ装置３０３は、暖房／冷房流路４０１内の第１の組のヒート・シンクと、排出空気流路４００内の第２の組のヒート・シンク３０４、３０５の間に配置される。
【００６２】
暖房モードにおいては、暖冷房装置の動作が以下の通りである。
複数のペルチェ装置３０３が、排気ヒート・シンク３０４、３０５から暖房／冷房流路のヒート・シンク４０２、４０３に熱を吸い上げるように制御され、その結果、下側の暖房／冷房空気流路内のヒート・シンクが、排出空気流路内のヒート・シンクと比べて比較的暖かくなり、空気暖房／冷房流路内のヒート・シンクが当該流路を通過する空気を加熱するに充分に熱くなる。空気が、取り入れ口ファン３０１を介して暖房／冷房流路内に引き込まれ、空気暖房／冷房流路の第１および第２のヒート・シンクを通り、その後、空気吐き出し口３０９を通って排出される前に加熱の追加のブーストを獲得するためにセラミック・ヒータ３１０を通る。排出空気流路４００は、その第１および第２の取り入れ口４０４、４０５を介して、第１および第２の排気ヒート・シンク３０４、３０５の上に空気を引き込む。排気ヒート・シンクの上方を流れる空気流は、ペルチェ装置の加熱を防止し、排出空気とマットレスへの供給空気の間の温度差を可能にする。熱が排気流路を通る排出空気から抽出されて空気供給吐き出し口３０９に運ばれるが、熱は、ペルチェ・ヒート・ポンプ装置３０３のアレイによって２つの空気流の間において吸い上げられる。
【００６３】
冷房モードにおいては、この装置の動作が次のとおりとなる。空調流路４０１内において空気が取り入れ口ファン３０１を通って引き込まれ、空調流路内の第１および第２のヒート・シンク４０２、４０３をそれぞれ通り、その後セラミック・ヒータ３１０を通り、空気供給吐き出し口３０９を通って外に出る。セラミック・ヒータ３１０は、空気を暖めないようにオフにされる。ペルチェ装置は、空調流路内の第１および第２の下側ヒート・シンクを、周囲の大気温度に対して冷やすべく動作し、その結果、空調流路を通過する空気が温度の引き下げを受ける。ペルチェ装置３０３は、空調流路内のヒート・シンクから排気流路内のヒート・シンク３０４、３０５に熱を吸い上げる。
【００６４】
排気流路内では、冷房モードにおいて、吐き出し口ファン３０６が、排気流路の第１および第２の取り入れ口４０４、４０５それぞれを通じ、さらに排気ヒート・シンク３０５、３０６を通じて空気を引き込む。排気ヒート・シンク３０４、３０５が、空調ヒート・シンク４０２、４０３より比較的高い温度にあることから、熱が排出空気流に移され、この装置の排気吐き出し口開口２０２を通って排出される。
【００６５】
暖冷房装置が単純に空気ポンプとして動作する第３の動作モードにおいては、ペルチェ装置がオフにされ、かつセラミック・ヒータもまたオフにされ、その結果、空調流路内において空気の有効な暖房または冷房が生じない。
【００６６】
空気は、取り入れ口ファン３０６によって空調流路の取り入れ口内に引き込まれ、熱の供給または熱の抽出を行わない『オフ』状態にある空調流路のヒート・シンクを通り、さらに、セラミック・ヒータを通って吐き出し口３０９の外に押し出される。この動作モードにおいては、電力の節約のために、排気流路４００を、排気ファン３０６のオフを伴う非活動状態とすることができる。
【００６７】
上述したとおり、従来技術の冷房装置に伴う問題は、ケーシングのサイズを低減し、かつ冷房の効率を増加して商業的に実用的なサイズの装置を作るということの実際性が中心にあり、これまでのところ従来技術においては達成に失敗している。
【００６８】
現在の実施態様においては、実用的に動作できる、住宅使用に許容可能なサイズおよび重量の暖冷房装置を達成するために、空気流路のレイアウト、設計、および構成部品選択が最適化される必要がある。
【００６９】
ここで図５を参照すると、第２の特定の実施態様に従った第１のプロトタイプの暖冷房装置が略図的に図解されており、実際的な空気の通路、ケーシング内の構成部品の形状および配置および位置が示されている。
【００７０】
第２の実施態様の暖冷房装置は、ベース・プレート５００を有し、その上に空調空気流路を形成する管状構造５０１および排気流路を形成する上側管状構造５０２が装着される。空調流路５０１は、取り入れ口端にテーパ付き取り入れ口５０３、及び、吐き出し口端にテーパ付き吐き出し口部分５０４を有する略矩形断面の管状の通路を有する。空調流路内には、１つまたは複数の鋳造アルミニウムのヒート・シンク装置５０４、５０５が配置されており、取り入れ口ファン５０６によって空気が強制的に流通させられる。
取り入れ口ファン５０６は、その回転の主軸が、ベース・プレート５００の主平面と略直角に配置され、当該ベース・プレートの主平面を横切る方向から空気を引き込む。したがって空気は、ファンを９０度にわたって通過し、空調通路５０１の長さ方向に沿って横方向に排出される。セラミック加熱装置５０６は、空調流内のヒート・シンクおよびペルチェ・ヒート・ポンプ装置の後、および吐き出し口５０７の前の空調流路内に配置される。
【００７１】
排出空気流路５０８は、略管状の構造を有し、略矩形の断面であり、管状構造の対向する端に第１および第２の開口を有し、当該管状構造は、中心開口を有し、その上に排気ファン５１１が嵌め込まれて当該排気ファンが排気通路の上側表面内の吐き出し口開口を通じて空気を引き出すようになっており、他方では空気が第１および第２の対向する空気取り入れ口を通じて引き込まれる。空気は、電気換気ファン５１１の力の下に取り入れ口から引き込まれ、複数のヒート・シンク装置の上方を介して、排気通路の吐き出し口から引き出される。
【００７２】
ペルチェ装置は、排気ヒート・シンクと空調ヒート・シンクの間に配置されて、排気ヒート・シンクと空調ヒート・シンクの間において熱の吸い上げを行う。ペルチェ装置がどのように駆動されるかに応じて排気ヒート・シンクと空調ヒート・シンクの間の熱の流れを逆転させること、また、増加または減少させることが可能である。
【００７３】
最良の態様においては、排出空気通路、空調空気通路の寸法、および暖冷房装置全体のサイズが次のとおりとなる。
【００７４】
暖冷房装置の全体的な寸法は、幅１５〜３６ｃｍ、高さ７〜１５ｃｍ、および長さ２０〜４０ｃｍの範囲となる。
【００７５】
排出空気通路は、３０ｃｍ２〜１０８ｃｍ２の範囲内の寸法の内側断面積を有することができ、それを通って空気が流れる。空調空気流路は、３０ｃｍ２〜１２０ｃｍ２の範囲内において主空気流方向に直角な内側断面積を有することができる。
【００７６】
通常、各ペルチェ効果装置は、４０ｍｍ×４０ｍｍの範囲内の寸法を有することができ、ペルチェ効果装置のアレイは、４装置の組２つで配置される８つの個別の装置からなり、それらの２つの組は、装置内で直列に配置される。
【００７７】
ここで図６を参照すると、図５の第２の実施態様の暖冷房装置が分解端面図の形で示され、略図的に図解されている。説明容易のため、排出空気流路および空調空気流路を取り囲むモールディングが透明プラスティック材料から形成されており、その結果、内側のヒート・シンク・構成部品およびセラミック・ヒータ・構成部品を見ることができる。
【００７８】
フィンの間を空気が流れるように、排出空気流路に沿う方向に配置された平行に延びる複数のフィンを有する鋳造アルミニウムとして形成される排気流路の前方ヒート・シンクを明確に見ることができる。この配置においては、排気流路を通る空気の通路が、排気流路の取り入れ口と吐き出し口の間の最大距離にわたって最大フィン面積にさらされ、同時に空気の通路の妨げが最小限になる。
【００７９】
図７は、マットレス内に複数の空気流路を有するタイプのエア・マットレスの上面のプローブ・レイアウトを略図的に図解している。
【００８０】
テスト状況においては、１５のプローブが互いから概略で等しく離隔されて５行３列のアレイで、ダブルサイズのベッドを覆うに適したエア・マットレスの面積全体を覆って配置される。
【００８１】
図８は、図７のエア・マットレス上の複数のポジションに配置された温度プローブについて、ここでの特定の実施態様に従った暖冷房装置によって温度調節された空気が供給されるときの時間に対する温度のプロットの概要を図解している。
【００８２】
暖房モードにおいては、エア・マットレスの上側表面が、６分内にテストの開始時における周囲温度を１〜１４度の間で超える温度まで上昇するテストが行われ、１２分後に、初期周囲温度を４〜１４度の間で超える範囲に向かう傾向があった。
【００８３】
図９は、ここでの特定の実施態様に従った暖冷房装置から冷やされた空気が供給されるエア・マットレスについて、時間に対する温度のプロットの概要を図解している。
【００８４】
エア・マットレスのまわりの周囲大気温度が２５．５〜２６．３℃の範囲内で変動する冷房モードのテストにおいては、暖冷房装置が、マットレス表面全体にわたって約１．５℃の温度変動を伴い、かつ周囲温度より２〜３．２度低い範囲内の全体的な温度を伴ってダブルサイズのエア・マットレスを定常状態の動作において駆動可能なことがテストされた。
【００８５】
図１０は、ここに述べられているとおりの暖冷房装置から温度調節された空気が供給されるエア・マットレス上に配置された一連のプローブによって測定された温度の時間に対するプロットの概要を図解しており、それにおいてはエア・マットレスがキルト面を下にした１０トグのキルトによって覆われている。
【００８６】
１０トグのキルトがダブルサイズのエア・マットレスを覆う暖房モードのテストにおいては、暖冷房装置が、暖房モードの開始から２分内に１１℃に至る温度の増加をもたらし、かつエア・マットレスの表面温度をテストの開始時に測定された周囲温度より１７℃高い温度に至る範囲内に維持可能であることがテストされた。
【００８７】
図１１は、エア・マットレスを覆う１０トグのキルトを伴った図１０に等しいプロットを図解しているが、キルトは、他方の面を上に向けている。
【００８８】
エア・マットレス下に不透過性材料を伴う暖房モードにおいては、暖冷房装置が、暖房モードの開始から６分の期間内にテスト開始時の周囲温度を３〜１４℃の間で超える表面温度をエア・マットレス表面上において作り出すようにエア・マットレスを駆動できること、およびテスト開始から１２分の期間内にテスト開始時の周囲温度より６〜１５℃高い範囲内の温度に到達できることが示された。
【００８９】
図１２は、ここに述べている実施態様に従った暖冷房装置によって温度調節された空気が供給されるエア・マットレスについて、時間に対する温度のプロットの概要を図解しており、エア・マットレスの下には不透過性材料が置かれている。
【００９０】
エア・マットレスの下に不透過性材料が置かれ、エア・マットレスの下側３／４がブランケットによって覆われた暖房モードのテストにおいては、暖冷房装置が、暖房モードのテストの開始から６分内にテスト開始時の周囲温度より５〜１７℃高い範囲内の温度を与えるべくエア・マットレスを駆動することが可能であった。
【００９１】
図１３は、エア・マットレスの下に不透過性材料が置かれ、エア・マットレスの３／４の部分がブランケットによって覆われた場合の、温度調節された空気が供給されるエア・マットレス上の複数のポジションについて時間に対する温度のプロットの概要を図解している。
【００９２】
図１４は、エア・マットレスの下に不透過性材料が置かれ、エア・マットレスが異なる取り入れ口ノズルを有し、かつ暖冷房装置が暖房モードで作動される場合の、ここでの特定の実施態様の暖冷房装置によって温度調節された空気が供給されるエア・マットレスについて時間に対する温度のプロットの概要を図解している。
【００９３】
マットレスの下に不透過性材料が置かれた暖房モードのテストにおいては、暖冷房装置が、１時間の期間の後、テスト開始時の周囲温度より６〜１９℃高い範囲内のマットレス表面温度に到達するべくエア・マットレスを駆動することが可能であった。
【００９４】
図１５は、図１４に等しいプロットの概要を図解しているが、暖冷房装置が冷房モードで駆動されている。
【００９５】
暖冷房装置が冷房モードにあるとき、当該装置は、マットレス下に不透過性材料を有するエア・マットレスを、１時間の期間の後に周囲温度より２〜４℃低い範囲内に駆動すること、およびその温度範囲をその後無期限に維持することが可能であった。
【００９６】
図１６は、図１４と同じに駆動されるエア・マットレスについての時間に対する温度のプロットの概要を図解しているが、エア・マットレスの上側表面が４００ｍｍの長さにわたって不透過性材料によって覆われている。
【００９７】
暖房モードにおいては、エア・マットレスの下に不透過性材料が置かれ、かつマットレスの上側表面の下側４００ｍｍがブランケットによって覆われる場合に、テストの開始から２時間後に、暖冷房装置が、エア・マットレスの表面温度を周囲より１０〜１７℃の間で高い温度に駆動可能なこと、およびその温度範囲をその後無期限に維持可能なことがわかった。
【００９８】
図１７は、図１６に等しいプロットの概要を図解しているが、それにおいては暖冷房装置が長期間にわたって、たとえば一晩中オン状態にされた。
【００９９】
図１８は、冷房モードにあるここに述べられているとおりの暖冷房装置によって駆動されるエア・マットレスについて時間に対する温度のプロットの概要を図解しており、取り入れ口ノズルの取替え、およびマットレス下およびエア・マットレスの上側表面の４００ｍｍの長さを覆う不透過性材料を伴う。
【０１００】
冷房モードにおいては、暖冷房装置が、マットレス下に不透過性材料を有し、かつ足元の４００ｍｍがブランケットによって覆われたエア・マットレスを、テスト開始から１時間の期間の後にテスト開始時における対応する周囲温度より１．５〜６℃低い範囲内の冷やされた温度に駆動可能であることがテストされた。
【０１０１】
図１９は、図１９に等しいが、エア・マットレスが長期間にわたって、たとえば一晩中放置され、定常状態の温度条件に到達した場合のプロットの概要を図解している。
【０１０２】
定常状態においては、一晩中のテストの後、冷房モードで駆動された暖冷房装置が、周囲の外部大気温度より２〜４℃低い温度範囲でマットレスを駆動することがテストされた。
【０１０３】
図２０は、第３の特定の実施態様に従った第３の空気暖冷房装置を、部分切り取り側面図の形で略図的に図解している。
【０１０４】
図２１は、第３の空気暖冷房装置を端面図の形で略図的に図解している。
【０１０５】
第３の暖冷房装置における、第１および第２の装置と比較した場合の主要な相違は、装置の全体的な大きさの比率であり、より制限された空間内における装置の使用を可能にする修正された配置である。第３の暖冷房装置は、端面を下にした床置きの『タワー型』装置の形で立ててもよく、またはベッドの下に平らに横たえて置くことも可能である。この装置は、略平らな矩形の『煉瓦』状の形の外側ケーシングを有する。この装置は、第１および第２の側面２０００、２００１、第１および第２の端面２００２、２００３、トップ・パネル２００４、およびボトム・パネル２００５を有する。この装置は、９０度回転してその側面を下にして立てることもでき、その向きでは、トップおよびボトム・パネルが側面になる。図２０に示されている向きは、この装置を上から眺めている。
【０１０６】
この装置は、５００〜５６０ｍｍの範囲、好ましくは約５４０ｍｍの長さ（Ａ）、２００〜３００ｍｍの範囲、好ましくは８０ｍｍ台の幅（Ｂ）、および５０〜７０ｍｍの範囲の高さ（Ｃ）の寸法を有することができる。
【０１０７】
この装置の大きさの比率は、制限された空間、たとえばベッドの下におけるその使用を可能にする。この装置は、空気取り入れ口を装置のトップ２００４上に、空気吐き出し口を装置の１つの端面２００２に伴い、ベッドの下に平らに横たえて置くことが可能である。
【０１０８】
図２０に示されているとおり、平置きにして上から眺めたとき、この装置は、次の内部構成部品を有する。
スイッチ・モード電源２００６、
トップのダクト開口から空気を引き込み、空調流路内の第１のヒート・シンク装置２００８を通して空気を押し出すための主熱交換器ファン２００７、
第１のヒート・シンク２００８、および第２のヒート・シンク２０１０、および複数のペルチェ効果装置２０１１を有する熱交換器装置２００９、
空気温度調節流路へ入力される空気を濾過するための空気フィルタ・ユニット２０１２、
側面換気孔を通じて空気を引き込み、廃熱流路２０１４を通じて空気を押し出すための廃熱ファン２０１３、および
電源、フィルタ・ユニット、第１のファン２００７、第２のファン２０１３、および熱交換器を制御するための電子制御装置２０１５。トップ・パネル２００４上には、空気取り入れ口開口が備えられており、主熱ファンおよび廃熱ファンへの空気の取り入れを可能にする。
【０１０９】
空気を暖めるため、および冷やすための第１の空気流路は、開口がある１つの側が空気中に開いている空気フィルタ２０１２および第１のファン２００７を含む第１のチャンバ２０１６、第１のチャンバ、および熱交換器の第１のヒート・シンク２００８を通り、エア・マットレス装置への空気供給管に接続される吐き出し口２０１７で終わっている空気通路を有する。
【０１１０】
廃棄空気のための第２の空気流路は、第２のファン２０１３を有し、複数の取り入れ口開口を介して空気中に開いている第２のチャンバ２０１８を有し、第２のファンは、熱交換器の第２のヒート・シンク２０１０に続き、かつ排気換気孔２０２０を通る通路２０１９を通じて空気を導く。
【０１１１】
空気フィルタ２０１２は、トップ・パネル２００４上の取り外し可能なカバーによって、または装置上のそのほかの場所の取り外し可能なカバーによってアクセス可能にできる。空気フィルタは、取り入れ口ファンの周囲に嵌り込むように形成できる。空気フィルタを使い捨てとし、かつ汚れたときに交換可能とすることができる。空気フィルタの目的は、固体粒子、塵埃、花粉、黴、およびバクテリア等の空中に浮遊する夾雑物を空気から取り除くことである。紙、フォーム、合成プラスティック、または綿等の天然繊維を含む広範なフィルタ材料を使用できる。綿の空気フィルタは、耐久性および良好な空気流特性に起因して使用できる。交換可能な空気フィルタに使用できる合成材料にはポリエステル繊維が含まれる。それに代えて紡績繊維を使用してもよい。
【０１１２】
アレルギ患者用には、マイクロファイバ・フィルタ等の抗アレルギ・フィルタを使用して、塵埃、花粉、バクテリア、またはそのほかの空中に浮遊する粒子等の一般的なアレルゲンを除去できる。フィルタは、第１の空気流内の取り入れ口ファンの前または後のいずれかの位置において、第１の空気流路のフロント・エンド内に差し込むことが可能なフィルタ・カートリッジとして提供されている。
【０１１３】
第１および第２の空気流路は、分割壁２０２１によって、またペルチェ装置２０１１および第１および第２のヒート・シンク装置の基部によって互いに分離される。熱は、前述したとおり、電子制御ユニット２０１５の制御の下におけるペルチェ装置の動作により熱交換器２００８〜２０１１によって、第１および第２の空気流路の間において搬送される。
【０１１４】
第３の空気暖冷房装置の追加の利点は、廃熱用のファンがより効率的であること、および冷たい空気を周囲の空気の温度より６〜８℃の間まで低くできることである。
【０１１５】
好ましくは、第１の熱交換器の外側寸法が、１８０ｍｍ×４７ｍｍであり、０．４ｍ３台を占有する体積を提供する。廃流路熱交換器も類似の外側寸法を有する。
【０１１６】
暖房モードにおいては、第１の空気ファン２００７がフィルタ・ユニット２０１２を通して空気を取り入れ、その空気を、ペルチェ装置２０１１によって加熱されている第１の熱交換器２００８に通す。このモードにおいては、廃熱ファン２０１３が、低いレートの空気スループットでオンになる。
【０１１７】
冷房モードにおいては、廃熱ファンの電力ポイントが増加されて、廃熱流路を通る空気流が増加される。このモードにおいては、廃熱ファンが、入力空気を周囲より６〜８℃まで下げることが可能となり、廃熱交換器を通じて冷やされた空気流を提供できる。ペルチェ装置が第１の熱交換器２００８から第２の熱交換器２０１０へ熱の吸い上げを行う場合、それが、周囲に対して空調流路内の取り入れ口の空気を冷やすことを可能にする。
【０１１８】
図２１に示されているとおり、オプションの取り外し可能なベース部分２１００を暖冷房装置の１つの側面に嵌め込み、端面を下にして装置を立てて、最小の床スペースが占有されるようにすることができる。ベースは、長さ５００〜５６０ｍｍ、幅８０〜１２０ｍｍ、好ましくは１００ｍｍ台の範囲のフットプリント面積を有することができる。このモードにおいては、空気がトップ（現在の側面）を通じて取り入れられ、第１の端面において吐き出される。ケースの２つの面だけが空気の取り入れ口および吐き出し口のために使用され、空気流および装置を置くことができる可能性のある向きを最適化する。
【０１１９】
ここで図２２を参照するが、第４の特定の実施態様に従った第４の空気暖冷房装置が略図的に図解されている。装置は、正面カバーが取り外されて示されている。
【０１２０】
第４の空気暖冷房装置は、二連ユニットを有し、単一装置内の２つの熱調和モジュールを介して調和された空気を２つのエア・マットレスに提供できる。この装置は、単一のケーシング２２００内に横並びに配置された略２つの空気暖冷房装置である。図２２においては、内部構成部品を示すためにケーシングの正面が取り外されている。第４の実施態様の暖冷房装置は、ケーシングの長さに沿ってほぼ中央のポジションにおいてケーシングの後ろから入る電気ケーブル２２０１を介して第４の暖冷房装置に接続できる別体のケーシング内の外部電源を頼る。
【０１２１】
ケーシング内の個別の空気暖冷房装置のそれぞれは、ヒート・シンク装置２２０３を通して空調空気流路内に空気を引き込む主熱交換器軸流ファン、第１のヒート・シンク２２０３および第２のヒート・シンク、すなわち複数のヒート・ポンプ装置、たとえばペルチェ効果装置によって分離されている第１および第２のヒート・シンクを有する熱交換器装置、装置内の空気温度調節流路に到来する空気を濾過するための空気フィルタ・ユニット２２０４、廃熱流路を通して空気を押し出す廃熱ファン２２０２、および主ファン２２０２および廃熱ファンを制御するための電子制御回路２２０５を有する。
【０１２２】
フィルタ２２０４は、ケーシングの正面を取り外す必要なくケーシングのスロット内にスライドし、かつ取り外すことが可能なフィルタ・カートリッジ内に入れられている。フィルタ・カートリッジの外側の面を押すことによって、キャッチ・メカニズムによってケーシングに弾性的にバイアスされて取り付けられているカートリッジが、ユーザが指を使用してカートリッジの端をつかみ、スロットの外にカートリッジをスライドさせるに充分なだけカートリッジ・スロットから飛び出す。
【０１２３】
第１および第２の暖冷房モジュールは、装置の長さに沿って実質的な中央に配置された複数のバルクヘッド２２０５、２２０６によって全体のケーシング内において分離される。第１の暖房装置内の空気流の通路は、同一の外側ケーシング内の第２の装置内の空気流の通路から完全に隔離され、かつ分離されている。
【０１２４】
図２２に示されているケーシングの背面が空気取り入れ口または吐き出し口を有してなく、略滑らかで連続するプラスティック材料から形成されていることから、このユニットを、正面を上に、空気の取り入れ口および吐き出し口を上に向けて床に置くことが可能であり、それによって装置が低い縦断面を占有すること、および可能性としてベッドの下側にしまうことが可能になる。それに代えて、この装置を図２２に示されているように正立ポジションで置くことも可能であり、それにおいてはファンが、ケーシングが立っている床に対して略水平の方向で空気を引き込みおよび排出を行う。
【０１２５】
ここで図２３を参照すると、正面から眺めた図２２の第４の空気暖冷房装置が、ケーシングの正面を伴って略図的に図解されており、取り入れ口および吐き出し口の空気換気孔が示されている。廃棄空気は、第１の廃棄空気軸流ファン２３０２によって第１の組のグリル２３００、２３０１を通って引き込まれ、廃棄ヒート・シンクを通り、第２のグリル２３０３から外に出る。
【０１２６】
調和される空気は、調和空気流路の渦巻ファン２３０５によって第３のグリル２３０４を通って引き込まれ、装置の後ろの分離された流路内の廃棄ファンおよび廃棄食いシンクの後ろを通過し、第２のヒート・シンクを通り、調和空気吐き出し口２３０６から外に出る。ケーシング内のバルクヘッドが入りおよび出の廃棄空気を分離する。
【０１２７】
ここで図２４を参照すると、背面側から眺めた第４の空気暖冷房装置が略図的に図解されており、カーペット床面またはそのほかの表面上にこの装置を横たえるに適した滑らかな背面が示されている。
【０１２８】
図２５をここで参照すると、フィルタが取り外された分解図の形式で第４の空気暖冷房装置が略図的に図解されており、廃棄／排出空気流路および、マットレスに接続される吐き出し口への暖房／冷房空気供給の空気流路が示されている。装置が冷房モードにあるとき、グリルを通じて外からの空気を、排気ファン２５０２の側方の側方チャンバ内に引き込む。到来排出空気流路は、主排気ファンの両側において第１および第２の分割バルクヘッド２５００、２５０１の間に含められ、熱交換器の外側ヒート・シンクのうちの１つの羽根の中を通り、主排気ファンの外に出る。空気は、ケーシングの正面内のグリルを介して外側に開いているファン両側の隣接する側方チャンバ２５０４、２５０５から熱交換器の羽根に沿ってバルクヘッド２５００、２５０１の下を通過し、両方向からファンに向かう。このように到来空気流２５０３は、側方チャンバ内に引き込まれ、その後それが熱交換器のヒート・シンクに遭遇するときにそのオリジナルの方向と垂直な横方向に強制される。その後空気は、主排気ファンを介して当該排気ファンのすぐ正面の第２のグリル・エリアの外に引き出される。ファンの両側のチャンバのそれぞれは、ケーシングの正面のグリルの両側においてケーシングを横切って延びるそれぞれのバルクヘッドのペアの間に画定されている。その後空気は、ケーシングの正面の第２のグリル開口を介して排気される。冷たい空気が排気ファンの両側に入り込み、暖められた空気がファンによって外に押し出される。
【０１２９】
当然のことながら、ファンの回転方向を逆転することによって類似の効果を伴ってこの空気流の方向を逆転できる。
【０１３０】
暖房モードにおいては、排出空気流路内の空気流が類似になるか、またはファンをオフにするかまたは低速にすることが可能である。
【０１３１】
マットレスに対する暖められるかまたは冷やされた空気供給における空気流は、１つの暖房／冷房ユニットだけに注目すると次のとおりとなる。周囲の空気がケーシングの正面の取り入れ口グリルを通り、かつフィルタ（図２５では図示せず）を通り、取り入れ口チャンバ２５０８を介して取り入れ口ファン２５０９内に引き込まれる。取り入れ口ファンは囲まれており、その囲い込み内に空気の取り入れ口のための環状の取り入れ口を有し、熱交換器の別のヒート・シンクの羽根を通る空気を獲得する後方ケーシングに隣接する通路内に空気を導く。空気流は、第２のヒート・シンクの羽根の全長に沿って通過し、したがってヒート・シンクの側方に入り、他方の側において出るまで熱交換器を完全に沿って通過する。装置が暖房モードまたは冷房モードのいずれにあるかに応じて、空気が暖房されるか、すなわち熱を排気ヒート・シンクから主暖房／冷房ヒート・シンクに移動するペルチェ・ヒート・ポンプを介して排気流路内に引き込まれた周囲空気から熱が取られて調和空気流路に移されるか、または装置が冷房モードにあれば、ペルチェ装置が熱を調和空気から排出空気に移すが、その場合においては、排出空気が廃熱を運ぶことから、それが入るときより高い温度で装置を出る。ヒート・シンクの他方の側のチャンバは、供給管を介してマットレスに供給するための、この装置の調和空気吐き出し口に接続されている。
【０１３２】
図２２〜２５の二連モジュール装置内の別々のモジュールのそれぞれは、個別に制御されることが可能であり、その結果、一方のモジュールを暖房モードで動作させつつ、他方のモジュールを冷房モードで動作させること、またはその逆、または両方のモジュールを同じモードで動作させること、たとえば両方を冷房または両方を暖房とすることが可能である。各モジュールが個別に制御可能であることから、各モジュールにおける暖房および冷房の程度は互いに独立である。
【０１３３】
ここで図２６を参照すると、第４の暖冷房装置のための電源ユニットが略図的に図解されている。電源ユニットは、幹線給電電圧電力を暖冷房装置内における使用のためにより安全なより低い電圧、たとえば４８ボルトに変換する混合除去トランスを有する。最良モードにおいては、電源が以下の範囲内の寸法のものとなる。
幅１１０ｍｍ〜１３０ｍｍ、好ましくは１２０ｍｍ、
高さ１５０ｍｍ〜１７０ｍｍ、好ましくは１６０ｍｍ、
長さ８１０ｍｍ〜８４０ｍｍ、好ましくは８３０ｍｍ。
【０１３４】
電源は、暖冷房装置から離れた、寝具またはブランケット等の潜在的可燃性材料から離れた安全なポジションに配置されることが意図されている。
【０１３５】
ここで図２７を参照すると、第４の実施態様の暖冷房装置のための取り外し可能なフィルタ装置が略図的に図解されている。フィルタ装置は、取り外し可能なフィルタ２７０１を有するフィルタ・カートリッジ本体２７００を有する。カートリッジは、ケーシング内の対応する受け流路内外にスライドし、カートリッジ側面の溝２７０２の組によってそこに据えられる。カートリッジのベースには、スプリング・メカニズム２７０３、２７０４が、一組の弾性フィンガの形式で備えられており、使用時にはそれがケーシングに抗して作用し、カートリッジの外側表面２７０５が押されるとそれがケーシング内でロックし、再び押されると、弾性付勢手段２７０３、２７０４の作用によってケーシングの外に飛び出る。ケーシング上のフィルタ用受けスロットに配置されたキャッチが、カートリッジがスロットに係合してロックすること、またはスロットの外へ飛び出ることを可能にする。
【０１３６】
フィルタは、カートリッジを装置から取り外すことによって取り外し可能であり、かつ交換可能である。フィルタ・カートリッジ内に、広範なアレルゲン性または非アレルゲン性フィルタを代わりに用いることができる。
【０１３７】
ここで図２８を参照すると、第５の実施態様に従った第５の暖冷房装置が略図的に図解されている。第５の暖房／冷房装置は、略管状であり、かつ角が丸められた矩形断面を有し、正面側２８０１、後側、上側２８０１および下側、第１および第２の側面２８０２、２８０３を伴う外側ケーシング２８００を有する。この装置の長さ方向に沿ってほぼ中央に、前述したとおりにマットレスに空気を供給するための空気吐き出し口２８０４が設けられている。
【０１３８】
第５の装置は、ここで第４の実施態様に関して述べたすべての構成部品を有するが、１つの空気吐き出し口のための構成部品だけが存在する点が異なる。
【０１３９】
ケーシング２８００内には、空調流路内のヒート・シンク装置に空気を通過させるための主熱交換器ファン、第１のヒート・シンクおよび第２のヒート・シンクを有し、かつ当該第１および第２のヒート・シンクが複数のヒート・ポンプ装置、たとえばペルチェ効果装置によって分離されている熱交換器装置、装置内の空気温度調節流路に到来する空気を濾過するための空気フィルタ・ユニット、廃熱流路を通して空気を押し出すための廃熱ファン、および主ファンおよび廃熱ファンを制御するための制御回路が備えられている。
【０１４０】
フィルタは、ケーシングの正面または背面を取り外す必要なくケーシングのスロット内にスライドし、かつ取り出すことが可能なスプリングが配設された取り外し可能なフィルタ・カートリッジ２８０５内に入れられている。フィルタ・カートリッジの外側の面を押すことによって、キャッチ・メカニズムによってケーシングに弾性的にバイアスされて取り付けられているカートリッジが、ユーザが指を使用してカートリッジの端をつかみ、スロットの外にカートリッジをスライドさせるに充分なだけカートリッジ・スロットから飛び出す。フィルタ・カートリッジは、示されているとおりにこの装置が正立して配置されているときまたは装置がその背面側を下に横たえられているときに取り外すことができる。いずれの場合においても、装置を持ち上げる必要なくユーザによって自由にアクセスできるようにケーシング内にケートリッジが配置されている。
【０１４１】
ケーシングの寸法は、最良態様において次の範囲内とすることができる。
幅１１０ｍｍ〜１３０ｍｍ、好ましくは１２０ｍｍ、
高さ１５０ｍｍ〜１７０ｍｍ、好ましくは１６０ｍｍ、
長さ１２０ｍｍ〜１６０ｍｍ、好ましくは４４０ｍｍ。
【０１４２】
この装置は、装置をよりコンパクトかつ軽量にすることを可能にするために、暖冷房装置から離れて配置することができる別体の電源ユニットによって電力供給される。使用時にこの装置は、図２８に示されているとおりに、主ファン用の空気取り込み口が装置の正面側に配置されて空気を水平に引き込むように、その下側を下にして立たせて配置すること、またはそれに代えて主ファン用の空気取り入れ口が上方を向くようにその背面側を下にして横たえることができる。
【０１４３】
図２９をここで参照すると、正面から眺めた第５の暖冷房装置が図解されている。ケーシングの正面を構成する取り入れ口／吐き出し口グリル２９０１を通して主熱交換器ファン３０００を見ることができる。
【０１４４】
ここで図３０を参照すると、図２８および２９に示されている第５の暖冷房装置の背面が略図的に図解されている。後ろの表面上には、空気と取り入れ口または吐き出し口がまったく存在しない。示されている正立ポジションから空気取り入れが上方を向く横置きポジションに装置が転ぶことを防止する機能を提供するペアの突起３００１、３００２が備わっている。電源リード３００３は、ケーシングの中央ポジションから入る。マットレス装置への空気吐き出し口は、背面と上側の面の間の、空気吐き出し口が背面の主表面から上に突出しないポジションに配置されている。これは、装置がその背面側を下に置かれたときに空気吐き出し口が平らな状態になることを可能にする。
【０１４５】
ここで図３１を参照すると、これに含まれる図２２〜３０の第４および／または第５の暖冷房装置を制御するためのリモート・制御装置３１００が略図的に示されている。このリモート・制御装置は、この装置に電源を供給し、または電源を遮断してそれをオンまたはオフにするための電源オン・制御３１０１、暖冷房装置によって出力される空気の温度を増加させるための温度増加制御３１０２、および暖冷房装置によって出力される空気の温度を減少させるための温度減少制御を有する。図２２〜２５に示されている二連ユニットの場合には、リモート装置が２つのモジュールのうちのいずれか１つを選択して制御することが可能である。
【０１４６】
各種の実施態様において、冷房装置に、装置をベッドの隣に、またはベッドの下に配置することが可能となるように温度調節空気吐き出し口をエア・マットレスの空気取り入れ口に接続する１つまたは複数の柔軟かつ延長可能なホースを備えることができる。ホースは、周囲および排気の空気のための複数の空気取り入れ口および吐き出し口に対して略垂直または少なくとも横向きのケーシングの反対側の面上にあるマットレスへの温度調節空気吐き出し口とともに、暖冷房装置のケーシングを横たえ、周囲空気取り入れ口および吐き出し口を上に向けて、またはそれに代えて水平に向けて配置することを可能にする延長部分を有することができる。
【図面の簡単な説明】
【０１４７】
【図１】マットレスの上に置かれ、第１の特定の実施態様に従った暖冷房装置を介して温度調節された空気によって供給される温度調節可能なマットレス・カバーを略図的に図解した説明図である。
【図２】暖冷房装置の第１の特定の実施態様を外側概略図の形で略図的に図解した説明図である。
【図３】図２の第１の暖冷房装置の構成要素を平面図の形で略図的に図解した説明図である。
【図４】図２および３の第１の暖冷房装置を通る空気の流れを略図的に図解した側面図である。
【図５】第２の特定の実施態様に従った第２の空気暖冷房装置のレイアウトを横からの斜視図の形で略図的に図解した説明図である。
【図６】第２の空気暖冷房装置の構成要素を１つの端部から眺めた形で略図的に図解した説明図である。
【図７】マットレス内に複数の空気流路を有するタイプのエア・マットレスの上面におけるプローブのレイアウトを略図的に図解した説明図である。
【図８】図７のエア・マットレス上の複数のポジションに配置された温度プローブについて、ここでの特定の実施態様に従った暖冷房装置によって温度調節された空気が供給されるときの時間に対する温度のプロットの概要を図解した説明図である。
【図９】ここでの特定の実施態様に従った暖冷房装置から冷却された空気が供給されるエア・マットレスについて、時間に対する温度のプロットの概要を図解した説明図である。
【図１０】１０トグのキルトがキルト面を下にしてエア・マットレスを覆う場合の、暖冷房装置からの温度調節された空気が供給されるエア・マットレス上に配置された一連のプローブによって測定された温度の時間に対するプロットの概要を図解した説明図である。
【図１１】１０トグのキルトがエア・マットレスを覆うが、キルトの他方の面が上になる図１０に等しいプロットを図解した説明図である。
【図１２】不透過性材料がエア・マットレスの下に置かれる場合の、ここに述べられている実施態様に従った暖冷房装置によって温度調節された空気が供給されるエア・マットレスについて時間に対する温度のプロットの概要を図解した説明図である。
【図１３】不透過性材料がエア・マットレスの下に置かれ、かつエア・マットレスの３／４の部分がブランケットによって覆われる場合の、温度調節された空気が供給されるエア・マットレス上の複数のポジションについて時間に対する温度のプロットの概要を図解した説明図である。
【図１４】不透過性材料がエア・マットレスの下に置かれ、エア・マットレスが異なる取り入れ口ノズルを有し、かつ暖冷房装置が暖房モードで作動される場合の、ここでの特定の実施態様の暖冷房装置によって温度調節された空気が供給されるエア・マットレスについて時間に対する温度のプロットの概要を図解した説明図である。
【図１５】図１４に等しいが、暖冷房装置が冷房モードで駆動される場合のプロットの概要を図解した説明図である。
【図１６】図１４と同じに駆動されるが、エア・マットレスの上側表面が４００ｍｍの長さにわたって不透過性材料によって覆われる場合のエア・マットレスについての時間に対する温度のプロットの概要を図解した説明図である。
【図１７】図１６に等しいが、暖冷房装置が長期間にわたって、たとえば一晩中オンにされた場合のプロットの概要を図解した説明図である。
【図１８】取り入れ口ノズル、およびマットレス下およびエア・マットレスの上側表面の４００ｍｍの長さを覆う不透過性材料の交換を伴う場合の、冷房モードにある暖冷房装置によって駆動されるエア・マットレスについて時間に対する温度のプロットの概要を図解した説明図である。
【図１９】図１９に等しいが、エア・マットレスが長期間にわたって、たとえば一晩中放置され、定常状態の温度条件に到達した場合のプロットの概要を図解した説明図である。
【図２０】部分切断側面図の形で第３の特定の実施態様に従った第３の空気暖冷房装置を略図的に図解した説明図である。
【図２１】端面図の形で正立した向きにある第３の空気暖冷房装置を略図的に図解した説明図である。
【図２２】分解図の形で第４の特定の実施態様に従った第４の空気暖冷房装置を略図的に図解した説明図である。
【図２３】正面側から眺めた第４の暖冷房装置を略図的に図解した説明図である。
【図２４】背面側から眺めた第４の暖冷房装置を略図的に図解した説明図である。
【図２５】分解図の形式でフィルタが取り外された図２２〜２４の第４の暖冷房装置の正面を略図的に図解した説明図である。
【図２６】１方側の上方からの斜視図の形で図２２〜２５の第４の暖冷房装置のための電源ユニットを略図的に図解した説明図である。
【図２７】第４の暖冷房装置のフィルタを略図的に図解した説明図である。
【図２８】第５の実施態様に従った第５の暖冷房装置を略図的に図解した説明図である。
【図２９】正面から眺めた第５の暖冷房装置を略図的に図解した説明図である。
【図３０】後ろから眺めた第５の暖冷房装置を略図的に図解した説明図である。
【図３１】第４および／または第５の暖冷房装置を制御するためのリモート・制御装置を略図的に図解した説明図である。
【符号の説明】
【０１４８】
１００  マットレス・カバー
１０１  暖冷房装置、冷房装置
１０２  供給管、引き渡し管
２００  外側ケーシング
２０１  空気取り入れ口、取り入れ口開口
２０２  空気吐き出し口、吐き出し口開口、排気吐き出し口開口
２０３  供給管、吐き出し口パイプ
２０４  電源ケーブル、電気コネクタ・ケーブル
２０５  上側表面
２０６  端面
２０７  第２の端面
３００  ベース・プレート
３０１  取り入れ口ファン
３０２  空気チャンネル
３０３  ペルチェ暖冷房素子、ペルチェ効果素子、ペルチェ素子、ペルチェ・ヒート・ポンプ素子
３０４  ヒート・シンク、第１の上側ヒート・シンク、排気ヒート・シンク、第１の排気ヒート・シンク
３０５  ヒート・シンク、第２のヒート・シンク、排気ヒート・シンク、第２の排気ヒート・シンク
３０６  吐き出し口換気ファン、換気ファン、電気換気ファン、吐き出し口ファン、排気ヒート・シンク、取り入れ口ファン、排気ファン
３０７  電源ユニット
３０８  コントロール回路
３０９  吐き出し口パイプ、吐き出し口、空気吐き出し口、空気供給吐き出し口
３１０  セラミック・ヒータ装置、セラミック・ヒータ
４００  上側空気チャンネル、排出空気チャンネル
４０１  下側空気チャンネル、下側チャンネル、暖房／冷房チャンネル、空調チャンネル
４０２  第１の下側ヒート・シンク、取り入れ口開口、後方開口、ヒート・シンク、第１のヒート・シンク、空調ヒート・シンク
４０３  第２の下側ヒート・シンク、取り入れ口開口、前方側開口、ヒート・シンク、第２の排気ヒート・シンク、第２のヒート・シンク、空調ヒート・シンク
４０４  第１の取り入れ口
４０５  第２の取り入れ口
５００  ベース・プレート
５０１  管状構造、空調チャンネル、空調通路
５０２  上側管状構造
５０３  テーパ付き取り入れ口
５０４  テーパ付き吐き出し口部分、ヒート・シンク装置
５０５  ヒート・シンク装置
５０６  取り入れ口ファン、セラミック加熱装置
５０７  吐き出し口
５０８  排出空気チャンネル
５１１  排気ファン、電気換気ファン
２０００  第１の側面
２００１  第２の側面
２００２  第１の端面
２００３  第２の端面
２００４  トップ・パネル、トップ
２００５  ボトム・パネル
２００６  スイッチ・モード電源
２００７  主熱交換器ファン、第１のファン、第１の空気ファン
２００８  第１のヒート・シンク装置、第１のヒート・シンク、第１の熱交換器
２００９  熱交換器装置
２０１０  第２のヒート・シンク、第２の熱交換器
２０１１  ペルチェ効果素子、ペルチェ素子
２０１２  空気フィルタ・ユニット、空気フィルタ、フィルタ・ユニット
２０１３  廃熱ファン、第２のファン
２０１４  廃熱チャンネル
２０１５  電子コントロール装置、電子コントロール・ユニット
２０１６  第１のチャンバ
２０１７  吐き出し口
２０１８  第２のチャンバ
２０１９  通路
２０２０  排気換気孔
２０２１  分割壁
２１００  ベース部分
２２００  ケーシング
２２０１  ケーブル
２２０２  廃熱ファン、主ファン
２２０３  ヒート・シンク装置、第１のヒート・シンク
２２０４  フィルタ・ユニット、フィルタ
２２０５  電子コントロール回路、バルクヘッド
２２０６  バルクヘッド
２３００  グリル
２３０１  グリル
２３０２  第１の廃棄空気軸流ファン
２３０３  第２のグリル
２３０４  第３のグリル
２３０５  渦巻ファン
２３０６  調和空気吐き出し口
２５００  第１の分割バルクヘッド
２５０１  第２の分割バルクヘッド
２５０２  排気ファン
２５０３  到来空気流
２５０４  側方チャンバ
２５０５  側方チャンバ
２５０８  取り入れ口チャンバ
２５０９  取り入れ口ファン
２７００  フィルタ・カートリッジ本体
２７０１  取り外し可能なフィルタ
２７０２  溝
２７０３  スプリング・メカニズム、弾性バイアス手段
２７０４  スプリング・メカニズム、弾性バイアス手段
２７０５  外側表面
２８００  外側ケーシング、ケーシング
２８０１  正面側、上側
２８０２  第１の側面
２８０３  第２の側面
２８０４  空気吐き出し口
２８０５  フィルタ・カートリッジ
２９０１  取り入れ口／吐き出し口グリル
３０００  主熱交換器ファン
３００１  突起
３００２  突起
３００３  電源リード
３１００  リモート・コントロール装置
３１０１  電源オン・コントロール
３１０２  温度増加コントロール
【図１】
2009528502.tif 000003
【図２】
2009528502.tif 000004
【図３】
2009528502.tif 000005
【図４】
2009528502.tif 000006
【図５】
2009528502.tif 000007
【図６】
2009528502.tif 000008
【図２０】
2009528502.tif 000009
【図２１】
2009528502.tif 000010
【図２２】
2009528502.tif 000011
【図２３】
2009528502.tif 000012
【図２４】
2009528502.tif 000013
【図２５】
2009528502.tif 000014
【図２６】
2009528502.tif 000015
【図２７】
2009528502.tif 000016
【図２８】
2009528502.tif 000017
【図２９】
2009528502.tif 000018
【図３０】
2009528502.tif 000019
【図３１】
2009528502.tif 000020
【図７】
2009528502.tif 000021
【図８】
2009528502.tif 000022
【図９】
2009528502.tif 000023
【図１０】
2009528502.tif 000024
【図１１】
2009528502.tif 000025
【図１２】
2009528502.tif 000026
【図１３】
2009528502.tif 000027
【図１４】
2009528502.tif 000028
【図１５】
2009528502.tif 000029
【図１６】
2009528502.tif 000030
【図１７】
2009528502.tif 000031
【図１８】
2009528502.tif 000032
【図１９】
2009528502.tif 000033
【国際調査報告】
2009528502.tif 000034
2009528502.tif 000035
2009528502.tif 000036
2009528502.tif 000037